(57)【要約】【課題】簡易な構成で瞼の状態や視線の状態などの人体の状態を判定することができる眼鏡型電子機器を提供する。【解決手段】眼鏡レンズ７及びフレームの少なくとも一方に設けられた少なくとも一つの電極を含んだ電極部１０と、電極と人体との間の静電容量に応じた検出信号Ｄｃを生成する静電容量検出部２０と、検出信号Ｄｃに基づいて、瞼の状態及び視線の状態の少なくとも一方を含んだ人体の状態を判定する人体状態判定部３１とを有する。人体状態判定部３１は、検出信号Ｄｃと第１しきい値ＴＨ１とを比較し、比較結果に基づいて、瞼が開いているか否かを判定する。また、人体状態判定部３１は、検出信号Ｄｃと第２しきい値ＴＨ２とを比較し、当該比較結果に基づいて、瞼が開きかつ視線が正面を向いているか、又は、瞼が開きかつ視線が正面を向いていないかを判定する。【選択図】図２
2015205114.tif 000002
【特許請求の範囲】
【請求項１】
レンズ及びフレームの少なくとも一方に設けられた少なくとも一つの電極と、
前記電極と人体との間の静電容量に応じた検出信号を生成する静電容量検出部と、
前記検出信号に基づいて、瞼の状態及び視線の状態の少なくとも一方を含んだ人体の状態を判定する人体状態判定部と
を有することを特徴とする眼鏡型電子機器。
【請求項２】
前記人体状態判定部は、前記検出信号と第１しきい値とを比較し、当該比較結果に基づいて、瞼が開いているか否かを判定する
ことを特徴とする請求項１に記載の眼鏡型電子機器。
【請求項３】
前記人体状態判定部は、前記検出信号と第２しきい値とを比較し、当該比較結果に基づいて、瞼が開きかつ視線が正面を向いているか、又は、瞼が開きかつ視線が正面を向いていないかを判定する
ことを特徴とする請求項１又は２に記載の眼鏡型電子機器。
【請求項４】
映像を表示する表示部を有し、
前記人体状態判定部において瞼が閉じていると判定された場合、及び、瞼が開きかつ視線が正面を向いていると判定された場合の少なくとも一方において、前記表示部における映像の表示を停止する表示制御部と
を有することを特徴とする請求項１乃至３のいずれか一項に記載の眼鏡型電子機器。
【請求項５】
２つの前記電極を有し、
前記静電容量検出部は、前記２つの電極間の静電容量に対応する前記検出信号を生成する
ことを特徴とする請求項１乃至４のいずれか一項に記載の眼鏡型電子機器。
【請求項６】
前記人体状態判定部は、前記検出信号と第１しきい値とを比較し、当該比較結果に基づいて、前記２つの電極間の静電容量が前記第１しきい値に対応する容量値より大きいならば瞼が開いていると判定し、当該容量値より小さいならば瞼が閉じていると判定する
ことを特徴とする請求項５に記載の眼鏡型電子機器。
【請求項７】
前記人体状態判定部は、前記検出信号と第２しきい値とを比較し、当該比較結果に基づいて、前記２つの電極間の静電容量が前記第２しきい値に対応する容量値より大きいならば視線が正面を向いていないと判定し、当該容量値より小さいならば視線が正面を向いていると判定する
ことを特徴とする請求項５又は６に記載の眼鏡型電子機器。
【請求項８】
前記静電容量検出部は、１つの前記電極と人体との間の静電容量に対応する前記検出信号を生成する
ことを特徴とする請求項１乃至４のいずれか一項に記載の眼鏡型電子機器。
【請求項９】
前記人体状態判定部は、前記検出信号と第１しきい値とを比較し、当該比較結果に基づいて、前記１つの電極と人体との間の静電容量が前記第１しきい値に対応する容量値より大きいならば瞼が閉じていると判定し、当該容量値より小さいならば瞼が開いていると判定する
ことを特徴とする請求項８に記載の眼鏡型電子機器。
【請求項１０】
前記人体状態判定部は、前記検出信号と第２しきい値とを比較し、当該比較結果に基づいて、前記１つの電極と人体との静電容量が前記第２しきい値に対応する容量値より大きいならば視線が正面を向いていると判定し、当該容量値より小さいならば視線が正面を向いていないと判定する
ことを特徴とする請求項８又は９に記載の眼鏡型電子機器。
【請求項１１】
前記人体状態判定部は、前記検出信号と第３しきい値とを比較し、当該比較結果に基づいて、上記眼鏡型電子機器が人体に装着されているか否かを判定する
ことを特徴とする請求項１乃至９のいずれか一項に記載の眼鏡型電子機器。
【請求項１２】
前記静電容量検出部及び前記人体状態判定部を含む電子回路に電源を供給する電源部と、
前記人体状態判定部において上記眼鏡型電子機器が人体に装着されていないと判定された場合、前記電源部から前記電子回路へ供給される電力が減少するように前記電子回路における一部の回路の動作を停止させるスタンバイ状態へ移行し、当該スタンバイ状態のときに前記人体状態判定部において上記眼鏡型電子機器が人体に装着されていると判定された場合、当該スタンバイ状態を解除するスタンバイ制御部とを有する
ことを特徴とする請求項１１に記載の眼鏡型電子機器。
【発明の詳細な説明】
【技術分野】
【０００１】
本発明は、電子部品が搭載された眼鏡型電子機器に係り、特に、瞼や視線の状態を判定可能な眼鏡型電子機器に関するものである。
【背景技術】
【０００２】
スマートフォンやゲーム機に代表される携帯型電子機器を更に発展させ、身体に直接着けて日常的に使用できることを特徴とした小型の電子機器（「ウェアラブル」とも呼ばれる）が近年注目を集めている。特に眼鏡型電子機器は、日常的な活動を妨げることなく映像や音声などの主要な知覚情報を伝達するのに適しており、また、各種のセンサや通信機能を搭載することによって従来にはない応用が期待されることから、各方面で活発に技術開発が進められている。例えば下記の特許文献１には、眼鏡フレームの各所に設けた電極によって生体の電位を計測し、その計測結果から視線の方向を検出するようにした視線検出装置が記載されている。
【先行技術文献】
【特許文献】
【０００３】
【特許文献１】特開２０１１−１２５６９２号公報
【発明の概要】
【発明が解決しようとする課題】
【０００４】
上記特許文献に記載される方法では、生体電位から眼電位のパターンを特定して視線の方向を検出することから、非常に微弱な生体電位を高精度に検出する必要があり、また、眼電位のパターンを特定するための複雑な演算処理を行う必要があることから、装置構成が複雑で大掛かりになるという問題がある。
【０００５】
本発明はかかる事情に鑑みてなされたものであり、その目的は、簡易な構成で瞼の状態や視線の状態などの人体の状態を判定することができる眼鏡型電子機器を提供することにある。
【課題を解決するための手段】
【０００６】
本発明に係る眼鏡型電子機器は、レンズ及びフレームの少なくとも一方に設けられた少なくとも一つの電極と、前記電極と人体との間の静電容量に応じた検出信号を生成する静電容量検出部と、前記検出信号に基づいて、瞼の状態及び視線の状態の少なくとも一方を含んだ人体の状態を判定する人体状態判定部とを有する。
上記の構成によれば、前記電極と人体との静電容量に応じた検出信号に基づいて、瞼の状態や視線の状態などの人体の状態が判定されるため、前記検出信号の生成や人体の状態の判定を簡易な構成で実現可能である。
【０００７】
好適に、前記人体状態判定部は、前記検出信号と第１しきい値とを比較し、当該比較結果に基づいて、瞼が開いているか否かを判定してよい。また、前記人体状態判定部は、前記検出信号と第２しきい値とを比較し、当該比較結果に基づいて、瞼が開きかつ視線が正面を向いているか、又は、瞼が開きかつ視線が正面を向いていないかを判定してよい。
上記の構成によれば、前記検出信号としきい値とを比較する簡易な処理で瞼の状態や視線の状態などを判定可能である。
【０００８】
好適に、上記眼鏡型電子機器は、映像を表示する表示部と、前記人体状態判定部において瞼が閉じていると判定された場合、及び、瞼が開きかつ視線が正面を向いていると判定された場合の少なくとも一方において、前記表示部における映像の表示を停止する表示制御部とを有してよい。
上記の構成によれば、瞼が閉じている状態や、視線が正面を向いている状態など、前記表示部の映像が見られていない状態において前記表示部の映像の表示が停止されるため、前記表示部における無駄な電力の消費が低減する。また、視線が正面を向いている状態では、前記表示部による映像が視界の妨げにならなくなる。
【０００９】
好適に、上記眼鏡型電子機器は、２つの前記電極を有してよく、前記静電容量検出部は、前記２つの電極間の静電容量に対応する前記検出信号を生成してよい。
この場合、前記人体状態判定部は、前記検出信号と第１しきい値とを比較し、当該比較結果に基づいて、前記２つの電極間の静電容量が前記第１しきい値に対応する容量値より大きいならば瞼が開いていると判定し、当該容量値より小さいならば瞼が閉じていると判定してよい。また、前記人体状態判定部は、前記検出信号と第２しきい値とを比較し、当該比較結果に基づいて、前記２つの電極間の静電容量が前記第２しきい値に対応する容量値より大きいならば視線が正面を向いていないと判定し、当該容量値より小さいならば視線が正面を向いていると判定してよい。
上記の構成によれば、２つの電極間の静電容量を検出した結果に基づいて、瞼の状態や視線の状態などを判定することが可能となる。
【００１０】
好適に、前記静電容量検出部は、１つの前記電極と人体との間の静電容量に対応する前記検出信号を生成してよい。
この場合、前記人体状態判定部は、前記検出信号と第１しきい値とを比較し、当該比較結果に基づいて、前記１つの電極と人体との間の静電容量が前記第１しきい値に対応する容量値より大きいならば瞼が閉じていると判定し、当該容量値より小さいならば瞼が開いていると判定してよい。また、前記人体状態判定部は、前記検出信号と第２しきい値とを比較し、当該比較結果に基づいて、前記１つの電極と人体との静電容量が前記第２しきい値に対応する容量値より大きいならば視線が正面を向いていると判定し、当該容量値より小さいならば視線が正面を向いていないと判定してよい。
上記の構成によれば、１つの電極と人体との間の静電容量を検出した結果に基づいて、瞼の状態や視線の状態などを判定することが可能となる。
【００１１】
好適に、前記人体状態判定部は、前記検出信号と第３しきい値とを比較し、当該比較結果に基づいて、上記眼鏡型電子機器が人体に装着されているか否かを判定してよい。
この場合、上記眼鏡型電子機器は、前記静電容量検出部及び前記人体状態判定部を含む電子回路に電源を供給する電源部と、前記人体状態判定部において上記眼鏡型電子機器が人体に装着されていないと判定された場合、前記電源部から前記電子回路へ供給される電力が減少するように前記電子回路における一部の回路の動作を停止させるスタンバイ状態へ移行し、当該スタンバイ状態のときに前記人体状態判定部において上記眼鏡型電子機器が人体に装着されていると判定された場合、当該スタンバイ状態を解除するスタンバイ制御部とを有してよい。
上記の構成によれば、眼鏡型電子機器が人体に装着されてない状態における無駄な電力の消費が低減する。
【発明の効果】
【００１２】
本発明によれば、電極と人体との間の静電容量に応じた信号を検出する簡易な構成で、瞼の状態や視線の状態などの人体の状態を判定することができる。
【図面の簡単な説明】
【００１３】
【図１】本実施形態に係る眼鏡型の電子機器の外観を例示す図である。
【図２】図１に示す眼鏡型電子機器の構成の一例を示す図である。
【図３】２つの電極間の静電容量を検出する場合の静電容量検出部の構成例を示す図である。
【図４】１つの電極と人体との静電容量を検出する場合の静電容量検出部の構成例を示す図である。
【図５】図３に示す静電容量検出部において検出される静電容量と瞼の状態及び視線の状態との関係を説明するための図である。
【図６】図４に示す静電容量検出部において検出される静電容量と瞼の状態及び視線の状態との関係を説明するための図である。
【発明を実施するための形態】
【００１４】
以下、図面を参照しながら本発明の実施形態に係る眼鏡電子機器について説明する。
図１は、本発明の実施形態に係る眼鏡型の電子機器の外観を例示する図である。図１に示す眼鏡型電子機器は、頭部の前面（顔）に位置するフロント部１と、頭部の側面（こめかみ）に位置する２本のテンプル部２と、このフロント部１及びテンプル部２を折り畳み自在に連結する２つの連結部３とを有する。
【００１５】
フロント部１は、左右の眼鏡レンズ７と、眼鏡レンズ７を保持する２つのリム４と、当該２つのリム４を繋げるブリッジ５を有する。ブリッジ５は、例えば樹脂等で形成されており、ブリッジ５の内部には、後述する静電容量検出部２０や処理部３０等の電子回路の部品が実装された回路基板６が収容される。また、眼鏡レンズ７の一部の領域には、視界の一部において映像を表示する表示部８が配置される。表示部８は、例えばハーフミラー等を用いた透過型のディスプレイである。
【００１６】
図２は、図１に示す眼鏡型電子機器の構成の一例を示す図である。
本実施形態に係る眼鏡型電子機器は、例えば図２において示すように、電極部１０と、静電容量検出部２０と、処理部３０と、表示部８と、電源部５０とを有する。
【００１７】
電源部５０は、静電容量検出部２０や処理部３０、表示部８を含む機器内の電子回路に電源を供給する。
【００１８】
電極部１０は、眼鏡レンズ７に近接する人体、特に瞼や眼球表面との間に静電的な結合を生じ得る位置に設けられた１つ若しくは複数の電極を含む。この電極は、例えば、眼鏡レンズ７の内側（人体側）の表面や、フレーム上（リム４の縁など）に設けられる。眼鏡レンズ７の内側表面に電極が設けられる場合、例えばＩＴＯ（酸化インジウム・スズ）や酸化亜鉛、酸化スズなどの透明導電膜が蒸着法などによって眼鏡レンズ７の内側表面に成膜される。
【００１９】
静電容量検出部２０は、電極部１０の電極と人体との間の静電容量に応じた検出信号Ｄｃを生成する。例えば静電容量検出部２０は、電極部１０の電極とグランドとの間、若しくは電極と電極との間に一定の電圧を印加し、その一定電圧によって充電されたキャパシタに蓄積される電荷をチャージアンプなどによって電圧に変換する。
【００２０】
図３及び図４は、静電容量検出部２０の構成の一例を示す図である。図３は、電極部１０が２つの電極１０Ａ及び１０Ｂを有する場合において、その電極間の静電容量（相互容量）を検出する静電容量検出部２０の構成例を示す。また、図４は、電極部１０が１つの電極１０Ｃを有する場合において、その電極１０Ｃと人体との間の静電容量（自己容量）を検出する静電容量検出部２０の構成例を示す。
【００２１】
図３に示す静電容量検出部２０は、駆動部２１と、チャージアンプ部２２と、Ａ／Ｄ変換部２３を有する。
駆動部２１は、電極１０Ａに対して周期的に駆動電圧を供給する回路であり、図３の例では、スイッチＳＷ１及びＳＷ２を有する。スイッチＳＷ１は電極１０Ａと電源電圧ＶＤＤとの間に接続され、スイッチＳＷ２は電極１０Ａとグランドとの間に接続される。
チャージアンプ部２２は、電極１０Ａと１０Ｂとの間の静電容量に蓄積された電荷を電圧に変換する回路であり、図３の例では、オペアンプＯＰ１と、キャパシタＣｘと、スイッチＳＷ５を有する。オペアンプＯＰ１の反転入力端子は電極１０Ｂに接続され、非反転入力端子はグランドに接続される。キャパシタＣｘとスイッチＳＷ５は、オペアンプＯＰ１の出力と反転入力端子との間に並列に接続される。
Ａ／Ｄ変換部２３は、チャージアンプ部２２の出力電圧Ｓｃをデジタル値の検出信号Ｄｃに変換する。
【００２２】
電極１０Ａと電極１０Ｂとの間にはキャパシタＣｅが形成されるが、これらの近くに人体が存在する場合、電極１０Ａ及び１０Ｂと人体との間にもそれぞれ寄生的なキャパシタＣｂ１，Ｃｂ２が形成される。キャパシタＣｅは、人体が電極１０Ａ及び１０Ｂに近づくほど小さくなる。静電容量検出部２０は、このキャパシタＣｅの静電容量値に応じた検出信号Ｄｃを生成する。従って、静電容量検出部２０の検出信号Ｄｃが示すキャパシタＣｅの静電容量値は、電極１０Ａ及び１０Ｂに人体の一部（瞼，眼球等）が近づくほど小さくなる（図５）。
【００２３】
図３に示す静電容量検出部２０は、キャパシタＣｅを一定の電圧に充電する期間（充電期間）と、キャパシタＣｅに蓄積される電荷をチャージアンプ部２２に転送して電圧に変換する期間（電荷転送期間）とを交互に繰り返す。
すなわち、充電期間において、スイッチＳＷ１がオン、スイッチＳＷ２がオフとなり、電極１０Ａに電源電圧ＶＤＤが印加される。また、充電期間においてスイッチＳＷ５がオンとなり、キャパシタＣｘの電荷がゼロにリセットされるとともに、電極１０Ｂの電圧がグランドレベルとなる。従って、充電期間では、キャパシタＣｅに電圧「ＶＤＤ」が印加される。充電期間においてキャパシタＣｅに蓄積される電荷は、電圧が一定値「ＶＤＤ」のため、キャパシタＣｅの静電容量に比例する。
充電期間から電荷転送期間に移行すると、スイッチＳＷ１がオフ、スイッチＳＷ２がオンとなり、電極１０Ａの電圧がグランドレベルとなる。また、電荷転送期間においてスイッチＳＷ５がオフとなり、電極１０Ｂの電圧がグランドレベルとなるようにオペアンプＯＰ１の出力電圧Ｓｃが負帰還制御される。電極１０Ａ，１０Ｂが共にグランドレベルになると、キャパシタＣｅの電圧はゼロとなり、充電期間においてキャパシタＣｅに蓄積された電荷は全てキャパシタＣｘに転送される。オペアンプＯＰ１の出力電圧ＳｃはキャパシタＣｘの電圧とほぼ等しいため、キャパシタＣｅから転送された電荷に比例する。そのため、オペアンプＯＰ１の出力電圧Ｓｃは、キャパシタＣｅの静電容量に比例した電圧となる。この出力電圧Ｓｃをデジタル値に変換した検出信号Ｄｃも、キャパシタＣｅの静電容量に比例する。
【００２４】
他方、図４に示す静電容量検出部２０は、駆動部２１Ａと、スイッチＳＷ４と、チャージアンプ部２２と、Ａ／Ｄ変換部２３を有する。
駆動部２１Ａは、電極１０Ｃに対して周期的に駆動電圧を供給する回路であり、図４の例ではスイッチＳＷ３を有する。スイッチＳＷ３は、電極１０Ｃと電源電圧ＶＤＤとの間に接続される。スイッチＳＷ４は、チャージアンプ部２２の入力と電極１０Ｃとを接続する経路に挿入される。チャージアンプ部２２とＡ／Ｄ変換部２３は、図３に示す同一符号の構成要素と同じである。
【００２５】
電極１０Ｃと人体との間には、寄生的なキャパシタＣｓが形成される。このキャパシタＣｓは、人体が電極１０Ｃに近づくほど大きくなる。従って、図４に示す静電容量検出部２０の場合、検出信号Ｄｃが示すキャパシタＣｓの静電容量値は、人体の一部（瞼，眼球等）が近づくほど大きくなる（図６）。
【００２６】
図４に示す静電容量検出部２０も、図３に示す静電容量検出部２０と同様に、充電期間と電荷転送期間とを交互に繰り返す。
充電期間においては、スイッチＳＷ３がオン、スイッチＳＷ４がオフとなり、電極１０Ｃに電源電圧ＶＤＤが印加され、キャパシタＣｓには電圧「ＶＤＤ」が印加される。また、充電期間において、スイッチＳＷ５がオンとなり、キャパシタＣｘの電荷がゼロにリセットされる。充電期間においてキャパシタＣｓに蓄積される電荷は、電圧が一定値「ＶＤＤ」のため、キャパシタＣｓの静電容量に比例する。
充電期間から電荷転送期間に移行すると、スイッチＳＷ３がオフ、スイッチＳＷ４がオン、スイッチＳＷ５がオフとなり、電極１０Ｃの電圧がグランドレベルとなるようにオペアンプＯＰ１の出力電圧Ｓｃが負帰還制御される。電極１０Ｃがグランドレベルになると、キャパシタＣｓの電圧はゼロとなり、充電期間においてキャパシタＣｓに蓄積された電荷は全てキャパシタＣｘに転送される。オペアンプＯＰ１の出力電圧ＳｃはキャパシタＣｘの電圧とほぼ等しいため、キャパシタＣｓから転送された電荷に比例する。そのため、オペアンプＯＰ１の出力電圧Ｓｃは、キャパシタＣｓの静電容量に比例した電圧となる。この出力電圧Ｓｃをデジタル値に変換した検出信号Ｄｃも、キャパシタＣｓの静電容量に比例する。
以上が、静電容量検出部２０の説明である。
【００２７】
図２に戻る。
処理部３０は、眼鏡型電子機器の全体的な動作を制御する回路であり、例えば、記憶装置に格納されるプログラムに基づいて命令を実行するコンピュータ（ＣＰＵとメモリなど）を含んで構成される。図２の例に示す処理部３０は、その所定の機能を実現する処理ブロックとして、人体状態判定部３１と、表示制御部３２と、スタンバイ制御部３３を有する。
【００２８】
人体状態判定部３１は、静電容量検出部２０において生成される検出信号Ｄｃに基づいて、瞼の状態や視線の状態などを人体の状態として判定する。具体的には、人体状態判定部３１は、検出信号Ｄｃと第１しきい値ＴＨ１とを比較し、当該比較結果に基づいて、瞼が開いているか否かを判定する。また、人体状態判定部３１は、検出信号Ｄｃと第２しきい値ＴＨ２とを比較し、当該比較結果に基づいて、瞼が開きかつ視線が正面を向いているか、又は、瞼が開きかつ視線が正面を向いていないかを判定する。更に、人体状態判定部３１は、検出信号Ｄｃと第３しきい値ＴＨ３とを比較し、当該比較結果に基づいて、眼鏡型電子機器が人体に装着されているか否かを判定する。
【００２９】
電極部１０の電極（図３の１０Ａ，１０Ｂ、図４の１０Ｃ）と人体との距離は、瞼が閉じられているときに最も短くなる。瞼が開いている状態では、視線が正面を向いているときに（眼球上の角膜による凸部が眼鏡レンズ７側に近づいているときに）、電極と人体との距離が最も短くなる（図５，図６）。従って、人体状態判定部３１は、電極と人体との距離に応じた大きさを持つ検出信号Ｄｃを所定のしきい値（ＴＨ１，ＴＨ２）と比較することにより、電極から瞼や眼球凸部までの距離が異なることを利用して、瞼の状態や視線の状態を判定する。また、人体状態判定部３１は、検出信号Ｄｃとしきい値ＴＨ３とを比較することにより、眼鏡型電子機器の非装着時に電極と人体とが著しく離れることを利用して、眼鏡型電子機器が人体に装着されているか否かを判定する。
【００３０】
表示制御部３２は、表示部８における映像の表示を制御するブロックであり、例えば表示部８に供給する映像信号を生成する。また表示制御部３２は、人体状態判定部３１において瞼が閉じていると判定された場合や、瞼が開きかつ視線が正面を向いていると判定された場合に、表示部８における映像の表示を停止する。瞼が閉じている状態は、表示部８の映像を見ることができない状態であり、視線が正面を向いている状態は、表示部８の映像以外のものを見ている状態であり、いずれも、表示部８における映像の表示が不要な状態である。従って、表示制御部３２は、このような場合に表示部８の映像表示を停止することで、映像の表示処理に伴う電力の消費を削減する。また、表示制御部３２は、視線が正面を向いている状態で表示部８の映像表示を停止することで、表示部８の映像が視界の妨げになることを防止する。
【００３１】
なお、表示制御部３２は、人体状態判定部３１において瞼が閉じていると判定された場合や、瞼が開きかつ視線が正面を向いていると判定された場合に、その判定状態が一定時間以上継続することを条件として、表示部８における映像の表示を停止してもよい。これにより、映像表示が頻繁に停止されることによる映像のチラつきを抑制できる。
【００３２】
スタンバイ制御部３３は、人体状態判定部３１において眼鏡型電子機器が人体に装着されていないと判定された場合、電源部５０から機器内の電子回路へ供給される電力が減少するように当該電子回路における一部の回路の動作を停止させるスタンバイ状態へ移行する。例えばスタンバイ制御部３３は、表示部８の回路動作（表示処理）を停止したり、静電容量検出部２０における駆動電圧パルスの周波数を低下させたりする。
このスタンバイ状態のときに人体状態判定部３１において眼鏡型電子機器が人体に装着されていると判定された場合、スタンバイ制御部３３は当該スタンバイ状態を解除して、通常の動作を再開する。
【００３３】
ここで、上述した構成を有する本実施形態に係る眼鏡型電子機器における、瞼の状態及び視線の状態の判定動作を説明する。
【００３４】
図５は、図３に示す静電容量検出部２０において検出されるキャパシタＣｅの静電容量（相互容量）と瞼の状態及び視線の状態との関係を説明するための図である。期間Ｔ１，Ｔ３及びＴ４は瞼１０２が開いた状態を示し、期間Ｔ２は瞼１０２が閉じた状態を示す。また、瞼１０２が開いた状態において、期間Ｔ１とＴ３は視線が正面を向いている状態を示し、期間Ｔ４は視線が正面を向いていない（上方を向いている）状態を示す。
この図５において示すように、瞼１０２が閉じた期間Ｔ２においては、人体の一部である瞼１０２が電極１０Ａ，１０Ｂに最も近づくため、静電容量検出部２０において検出されるキャパシタＣｅの静電容量は最も小さくなる。
また、瞼１０２が開いた状態では、視線が正面を向いている期間Ｔ１とＴ３において、眼球表面における角膜の凸部１０１が電極１０Ａ，１０Ｂに最も近づくため、静電容量検出部２０において検出されるキャパシタＣｅの静電容量は最も小さくなる。
瞼１０２が開き、かつ、視線が正面方向から外れたときに、静電容量検出部２０において検出されるキャパシタＣｅの静電容量は最大となる。
また、図５には示していないが、眼鏡型電子機器を人体に装着していない場合、静電容量検出部２０において検出されるキャパシタＣｅの静電容量は期間Ｔ４よりも更に大きくなる。
【００３５】
図５において、「Ｃ１」は第１しきい値ＴＨ１に対応するキャパシタＣｅの静電容量であり、「Ｃ２」は第２しきい値ＴＨ２に対応するキャパシタＣｅの静電容量である。人体状態判定部３１は、検出信号Ｄｃと第１しきい値ＴＨ１とを比較し、当該比較結果に基づいて、キャパシタＣｅの静電容量が「Ｃ１」より小さいならば瞼１０２が閉じていると判定し、キャパシタＣｅの静電容量が「Ｃ１」より大きいならば瞼１０２が開いていると判定する。また、人体状態判定部３１は、検出信号Ｄｃと第２しきい値ＴＨ２とを比較し、当該比較結果に基づいて、キャパシタＣｅの静電容量が「Ｃ２」より小さいならば視線が正面方向を向いていると判定し、キャパシタＣｅの静電容量が「Ｃ２」より大きいならば視線が正面方向からずれていると判定する。
【００３６】
図６は、図４に示す静電容量検出部２０において検出されるキャパシタＣｓの静電容量（自己容量）と瞼の状態及び視線の状態との関係を説明するための図である。図６の期間Ｔ１〜Ｔ４における瞼の状態及び視線の状態は、図５と同じである。
図４に示す静電容量検出部２０では、図３に示す静電容量検出部２０とは逆に、電極１０Ｃと人体との距離が短くなるほど静電容量が大きくなるため、瞼１０２が閉じた期間Ｔ２に静電容量検出部２０において検出されるキャパシタＣｓの静電容量は最も大きくなる。
瞼１０２が開いた状態では、視線が正面を向いている期間Ｔ１とＴ３に静電容量検出部２０において検出されるキャパシタＣｓの静電容量が最も大きくなる。
瞼１０２が開き、かつ、視線が正面方向から外れたときに、静電容量検出部２０において検出されるキャパシタＣｓの静電容量は最小となる。
また、図６には示していないが、眼鏡型電子機器を人体に装着していない場合、静電容量検出部２０において検出されるキャパシタＣｓの静電容量は期間Ｔ４よりも更に小さくなる。
【００３７】
図６において、「Ｃ１’」は第１しきい値ＴＨ１に対応するキャパシタＣｓの静電容量であり、「Ｃ２’」は第２しきい値ＴＨ２に対応するキャパシタＣｓの静電容量である。人体状態判定部３１は、検出信号Ｄｃと第１しきい値ＴＨ１とを比較し、当該比較結果に基づいて、キャパシタＣｓの静電容量が「Ｃ１’」より大きいならば瞼１０２が閉じていると判定し、キャパシタＣｓの静電容量が「Ｃ１’」より小さいならば瞼１０２が開いていると判定する。また、人体状態判定部３１は、検出信号Ｄｃと第２しきい値ＴＨ２とを比較し、当該比較結果に基づいて、キャパシタＣｓの静電容量が「Ｃ２’」より大きいならば視線が正面方向を向いていると判定し、キャパシタＣｓの静電容量が「Ｃ２’」より小さいならば視線が正面方向からずれていると判定する。
【００３８】
以上説明したように、本実施形態に係る眼鏡型電子機器によれば、電極と人体との間の静電容量に応じた検出信号Ｄｃに基づいて、瞼の状態や視線の状態などの人体の状態が判定されるため、検出信号Ｄｃの生成や人体の状態を簡易な構成で実現できる。また、生体電位に基づいて視線方向を検出する従来の方法のように、複数の電極を人体に接触させる必要がないため、電極を用いることによるユーザの違和感を軽減できる。
【００３９】
また、本実施形態に係る眼鏡型電子機器によれば、検出信号Ｄｃとしきい値との比較により瞼の状態や視線の状態を判定できるため、判定処理を簡易化でき、処理速度を向上できるとともに、ハードウェアの処理負荷を減らして消費電力を低減できる。
【００４０】
更に、本実施形態に係る眼鏡型電子機器によれば、瞼が閉じている状態や、視線が正面を向いていない状態など、表示部８の映像が見られていない状態において表示部８の映像の表示が停止されるため、表示部８における無駄な電力の消費を低減することができる。また、視線が正面を向いているとき映像表示を停止することによって、表示部８による映像が視界の妨げになることを効果的に防止できる。
【００４１】
また、本実施形態に係る眼鏡型電子機器によれば、人体状態判定部３１において眼鏡型電子機器が人体に装着されていないと判定された場合、電源部５０から機器内の電子回路へ供給される電力が減少するように、当該電子回路における一部の回路の動作が停止されるスタンバイ状態へ移行する。そのため、眼鏡型電子機器が人体に装着されてない状態における無駄な電力の消費を効果的に低減できる。
しかも、スタンバイ状態のときに人体状態判定部３１において眼鏡型電子機器が人体に装着されていると判定された場合、スタンバイ状態が自動的に解除される。そのため、ユーザにスタンバイ状態を意識させることなく、直ちに通常通りの操作を行わせることができる。
【００４２】
以上、本発明の幾つかの実施形態について説明したが、本発明は上述した実施形態に限定されるものではなく、種々のバリエーションを含んでいる。
【００４３】
上述した実施形態では眼鏡型電子機器の例として、一般的な眼鏡の形状を有する機器を例に挙げているが、本発明はこれに限定されない。例えば眼鏡レンズ７は省略可能であり、フレームの形状も任意である。また、例えば頭部にゴムバンド等で取り付けるヘッドマウントディスプレイ等にも本発明は適用可能である。
【符号の説明】
【００４４】
１…フロント部、２…テンプル部、３…連結部、４…リム、５…ブリッジ、６…回路基板、７…眼鏡レンズ、８…表示部、１０…電極部、２０…静電容量検出部、２１…駆動部、２２…チャージアンプ部、２３…Ａ／Ｄ変換部、３０…処理部、３１…人体状態判定部、３２…表示制御部、３３…スタンバイ制御部、５０…電源部。
【図１】
2015205114.tif 000003
【図２】
2015205114.tif 000004
【図３】
2015205114.tif 000005
【図４】
2015205114.tif 000006
【図５】
2015205114.tif 000007
【図６】
2015205114.tif 000008